(57)【要約】【課題】胴部の開口部をフラップによって閉塞するときに、胴部内の収容物が損傷するのを防ぐことができる包装箱を提供することを課題とする。【解決手段】一対の側壁１１および一対の端壁を有する筒状の胴部１０と、両側壁１１に連設された一対の内フラップ３１，３２と、両端壁に連設された一対の外フラップ３４とを備え、両外フラップ３４が両内フラップ３１，３２に折り重なることで、胴部１０の開口部１０ｂが閉塞される包装箱１であって、内フラップ３１には、差込口３１ａが開口しているとともに、内フラップ３１の内面に折り重なる折返し片３１ｂが形成され、折返し片３１ｂによって差込口３１ａが塞がれており、外フラップ３４には、外面側から差込口３１ａに差し込まれる差込片３４ａが形成され、差込片３４ａは内フラップ３１と折返し片３４ａとの間に挿入される。【選択図】図７
2014223938.tif 000002
【特許請求の範囲】
【請求項１】
一対の側壁および一対の端壁を有する筒状の胴部と、
前記両側壁に連設された一対の内フラップと、
前記両端壁に連設された一対の外フラップと、を備え、
前記両内フラップが突き合わされるとともに、前記両外フラップが前記両内フラップに折り重なることで、前記胴部の開口部が閉塞される包装箱であって、
前記内フラップには、差込口が開口しているとともに、前記内フラップの内面に折り重なる折返し片が形成され、前記折返し片によって前記差込口が塞がれており、
前記外フラップには、外面側から前記差込口に差し込まれる差込片が形成され、前記差込片は、前記内フラップと前記折返し片との間に挿入されることを特徴とする包装箱。
【請求項２】
前記折返し片は、前記内フラップの前記端壁側の端部に形成されていることを特徴とする請求項１に記載の包装箱。
【請求項３】
前記差込口の縁を通る折線で前記内フラップを折り返すことで、前記折返し片が形成されることを特徴とする請求項１または請求項２に記載の包装箱。
【請求項４】
前記差込片は、一方の前記内フラップの前記差込口に差し込まれ、
前記差込片において他方の前記内フラップ側の縁部には係止溝が切り込まれていることを特徴とする請求項１から請求項３のいずれか一項に記載の包装箱。
【発明の詳細な説明】
【技術分野】
【０００１】
本発明は包装箱に関する。
【背景技術】
【０００２】
野菜類等の収容物を収容するための段ボール製の包装箱としては、左右一対の側壁および前後一対の端壁を有する筒状の胴部と、左右の側壁に連設された一対の内フラップと、前後の端壁に連設された一対の外フラップと、を備え、左右の内フラップが突き合わされるとともに、前後の外フラップが左右の内フラップに折り重なることで、胴部の開口部が閉塞されているものがある。
【０００３】
前記した包装箱において、ステープルを用いて外フラップを内フラップに固定した場合には、内フラップの内面に露出したステープルによって野菜類等の収容物が損傷する虞がある。また、使用後の包装箱を廃棄またはリサイクルのために箱を分解する際には、包装箱からステープルを取り外さなければならず、また、取り外したステープルは分別廃棄の必要があった。
【０００４】
そこで、ステープルを使用せず、内フラップに差込口を開口させ、外フラップに設けられた差込片を外面側から差込口に差し込むことで、外フラップを内フラップに固定して閉塞する、所謂ノンステープル方式の包装箱が各種存在する（例えば、特許文献１参照）。
【先行技術文献】
【特許文献】
【０００５】
【特許文献１】特開２００３−３１２６３９号公報
【発明の概要】
【発明が解決しようとする課題】
【０００６】
前記したノンステープル方式の包装箱では、胴部内に野菜類等の収容物を収容した状態で、胴部の開口部をフラップによって閉塞する場合に、内フラップの差込口から内面側に進入した外フラップの差込片の角部や端縁が野菜類等の収容物に接触して、野菜類等の収容物が損傷する虞がある。
【０００７】
本発明は、前記した問題を解決し、胴部の開口部をフラップによって閉塞するときに、胴部内の収容物が損傷するのを防ぐことができる包装箱を提供することを課題とする。
【課題を解決するための手段】
【０００８】
前記課題を解決するため、本発明は、一対の側壁および一対の端壁を有する筒状の胴部と、前記両側壁に連設された一対の内フラップと、前記両端壁に連設された一対の外フラップと、を備え、前記両内フラップが突き合わされるとともに、前記両外フラップが前記両内フラップに折り重なることで、前記胴部の開口部が閉塞される包装箱であって、前記内フラップには、差込口が開口しているとともに、前記内フラップの内面に折り重なる折返し片が形成され、前記折返し片によって前記差込口が塞がれており、前記外フラップには、外面側から前記差込口に差し込まれる差込片が形成され、前記差込片は、前記内フラップと前記折返し片との間に挿入される。
【０００９】
この構成では、差込片は内フラップの内面と折返し片との間に挿入され、差込片が胴部内に露出しないため、胴部内に収容物を収容した状態で胴部の開口部をフラップによって閉塞する場合であっても、差込片が収容物に接触するのを防ぐことができる。
なお、包装箱が段ボール製である場合には、包装箱の強度を十分に確保することができる。そして、収容物が傷みやすい野菜類や果実類であっても、これらの収容物を損傷させることなく、包装箱に収容することができる。
【００１０】
前記した包装箱において、前記折返し片を前記内フラップの前記端壁側の端部に形成した場合には、内フラップを折り返すことで形成された開口部を、外フラップによって閉塞することができる。
【００１１】
前記した包装箱において、前記差込口の縁を通る折線で前記内フラップを折り返すことで、前記折返し片が形成されるように構成した場合には、折返し片によって差込口を確実に塞ぐことができる。
【００１２】
前記した包装箱において、前記差込片が一方の前記内フラップの前記差込口に差し込まれる場合には、前記差込片において他方の前記内フラップ側の縁部に係止溝を切り込むことが望ましい。
【００１３】
この構成では、一方の内フラップが外側に開く方向に移動したとき、すなわち、一方の内フラップが他方の内フラップから離れる方向に移動したときに、外フラップの係止溝に差込口の開口縁部が入り込み、外フラップが内フラップに係止されるため、内フラップおよび外フラップが開くのを防ぐことができる。
【発明の効果】
【００１４】
本発明の包装箱では、外フラップの差込片が胴部内に露出しないため、胴部内に収容物を収容した状態で、胴部の開口部をフラップによって閉塞する場合であっても、差込片が収容物に接触するのを防ぐことができ、収容物が損傷するのを防ぐことができる。
【図面の簡単な説明】
【００１５】
【図１】本実施形態の包装箱の展開図である。
【図２】本実施形態の包装箱の胴部を形成した状態の斜視図である。
【図３】本実施形態の包装箱の上蓋を形成した状態の斜視図である。
【図４】本実施形態の包装箱の下面開口部を上側に配置した状態の斜視図である。
【図５】本実施形態の包装箱に長葱を収容した状態の斜視図である。
【図６】本実施形態の包装箱の下蓋を形成した状態の斜視図である。
【図７】（ａ）は差込片を差込口に差し込む直前の状態の斜視図、（ｂ）は差込片を差込口に差し込んだ状態の斜視図である。
【図８】本実施形態の包装箱の差込片および折返し片を示した側断面図である。
【発明を実施するための形態】
【００１６】
本発明の実施形態について、適宜図面を参照しながら詳細に説明する。
本実施形態では、図５に示すように、複数の長葱Ｎ（収容物）を収容するための包装箱１に本発明を適用した場合について説明する。
なお、以下の説明において、前後左右方向とは、図２および図３に示す包装箱１の状態を基準としている。
【００１７】
本実施形態の包装箱１は、図１に示すように、一枚の段ボール製のシートを切り抜いたブランクシート１ａを各折線において山折りに折り曲げることで形成される。
包装箱１は、図２に示すように、筒状の胴部１０と、胴部１０の上面開口部１０ａに形成される上蓋２０（図３参照）と、胴部１０の下面開口部１０ｂを閉塞する下蓋３０（図６参照）と、を備えている。
【００１８】
胴部１０は、角筒状に形成されており、左右一対の側壁１１，１２と、前後一対の端壁１３，１４と、を備えている。左右の側壁１１，１２および左右の端壁１３，１４に囲まれた空間は、複数の長葱Ｎ（図５参照）が収容される収容空間となる。
【００１９】
左側の側壁１１は前後方向を長手方向とする長方形に形成されている。左側の側壁１１の前縁部には、折線Ｌ１ａ（図１参照）を介して糊代１５が連設されている。また、左側の側壁１１の後縁部には、折線Ｌ１ｂ（図１参照）を介して後側の端壁１４が連設されている。
【００２０】
後側の端壁１４は左右方向を長手方向とする長方形に形成されている。後側の端壁１４の上部には、図３に示すように、矩形の取付口１４ａが開口している。取付口１４ａには後記する後側の外ショートフラップ２２の取付部２２ｄが挿入される。
後側の端壁１４の右縁部には、折線Ｌ１ｃ（図１参照）を介して右側の側壁１２が連設されている。
【００２１】
右側の側壁１２は、前後方向を長手方向とする長方形に形成されている。図２に示すように、右側の側壁１２の前縁部には、折線Ｌ１ｄ（図１参照）を介して前側の端壁１３が連設されている。
【００２２】
前側の端壁１３は、左右方向を長手方向とする長方形に形成されている。前側の端壁１３の上部には、矩形の取付口１３ａが開口している。取付口１３ａには後記する前側の外ショートフラップ２２の取付部２２ｄが挿入される。
前側の端壁１３の内面に糊代１５が接着剤によって接合されることで、胴部１０が筒状に形成されている。
【００２３】
上蓋２０は、図３に示すように、胴部１０の上面開口部１０ａに形成される蓋である。上蓋２０の中央部には前後方向を長手方向とする長方形の開口部２０ａが形成される。
上蓋２０は、図２に示すように、左右の側壁１１，１２の上縁部に連設された左右一対の内ショートフラップ２１，２１と、左右の端壁１３，１４の上縁部に連設された前後一対の外ショートフラップ２２，２２と、によって構成されている。
【００２４】
左右の内ショートフラップ２１，２１は、左右の側壁１１，１２の上縁部に折線Ｌ２を介して連設されている。左右の内ショートフラップ２１，２１は左右対称の形状となっている。
内ショートフラップ２１の前後両端部には、左右方向に突出した突出部２１ａ，２１ａが形成されている。内ショートフラップ２１は、前後両端部が突出し、前後方向の中央部が窪んだ形状となっている。
【００２５】
図３に示すように、左右の内ショートフラップ２１，２１を折線Ｌ２，Ｌ２において左右の側壁１１，１２に対して上面開口部１０ａ側に折り曲げると、左右の突出部２１ａ，２１ａが上面開口部１０ａの左右方向の中間位置で突き合わされる。また、左右の内ショートフラップ２１，２１の前後方向の中間部同士の間には開口部２０ａが形成される。
【００２６】
前後の外ショートフラップ２２，２２は、図２に示すように、前後の端壁１３，１４の上縁部に連設されており、基端部２２ａと、中間部２２ｂと、先端部２２ｃとを備えている。
なお、前後の外ショートフラップ２２，２２は前後対称の形状となっているため、以下の説明では後側の外ショートフラップ２２について詳細に説明し、前側の外ショートフラップ２２については説明を省略する。
【００２７】
後側の外ショートフラップ２２の基端部２２ａは、後側の端壁１４の上縁部に折線Ｌ３ａを介して連設されている。
基端部２２ａは、図３に示すように、折線Ｌ３ａにおいて後側の端壁１４に対して折り曲げられることで、左右の内ショートフラップ２１，２１の後部の外面（上面）に重ね合わされる。基端部２２ａの前後方向の長さは、突出部２１ａの前後方向の長さと同じである。
【００２８】
中間部２２ｂは、図２に示すように、基端部２２ａの外縁部に折線Ｌ３ｂを介して連設されている。
中間部２２ｂは、図３に示すように、折線Ｌ３ｂにおいて基端部２２ａに対して折り曲げられることで、開口部２０ａの内周面に重ね合わされる。中間部２２ｂの上下方向の長さは、内ショートフラップ２１の厚さと同じである。また、中間部２２ｂの左右方向の長さは、開口部２０ａの左右方向の長さと同じである。
【００２９】
先端部２２ｃは、図２に示すように、中間部２２ｂの外縁部に折線Ｌ３ｃを介して連設されている。
先端部２２ｃは、折線Ｌ３ｃにおいて中間部２２ｂに対して折り曲げられることで、左右の内ショートフラップ２１，２１の突出部２１ａ，２１ａの内面（下面）に重ね合わされる。先端部２２ｃの前後方向の長さは、突出部２１ａの前後方向の長さと同じである。
【００３０】
先端部２２ｃの先端縁部には取付部２２ｄが突設されている。取付部２２ｄは、図３に示すように、後側の端壁１４の取付口１４ａに内面側から差し込まれる。
【００３１】
図２に示すように、左右の内ショートフラップ２１，２１および左右の外ショートフラップ２２，２２を開いた状態から、図３に示すように、上蓋２０を形成する場合には、まず、左右の内ショートフラップ２１，２１を左右の側壁１１，１２に対して折り曲げて左右の突出部２１ａ，２１ａを突き合わせる。
【００３２】
続いて、前後の外ショートフラップ２２，２２の基端部２２ａを前後の端壁１３，１４に対して折り曲げる。さらに、中間部２２ｂを基端部２２ａに対して折り曲げるとともに、先端部２２ｃを中間部２２ｂに対して折り曲げることで、外ショートフラップ２２によって左右の突出部２１ａを包み囲む。そして、取付部２２ｄを端壁１３，１４の取付口１３ａ，１４ａ（図２参照）に内面側から差し込んで固定する。
これにより、前後の外ショートフラップ２２，２２によって、左右の内ショートフラップ２１，２１が保持され、胴部１０の上面開口部１０ａに上蓋２０が形成される。
【００３３】
下蓋３０は、図６に示すように、胴部１０の下面開口部１０ｂを閉塞する蓋である。
なお、図４から図６に示した包装箱１は、下面開口部１０ｂが上側となるように配置されている。すなわち、包装箱１の通常の使用状態に対して、包装箱１が上下逆向きに配置されている。
【００３４】
下蓋３０は、図４に示すように、左右の側壁１１，１２に連設された左右一対の内フラップ３１，３２と、前後の端壁１３，１４に連設された前後一対の外フラップ３３，３４と、によって構成されている。
【００３５】
左側の内フラップ３１は、左側の側壁１１の下縁部に折線Ｌ４ａを介して連設されている。
左側の内フラップ３１を折線Ｌ４ａにおいて左側の側壁１１に対して下面開口部１０ｂ側に折り曲げたときには、左側の内フラップ３１の先端縁部が下面開口部１０ｂの左右方向の中間位置に配置される（図６参照）。
【００３６】
左側の内フラップ３１の後部には、矩形の差込口３１ａが開口している。差込口３１ａには、後記する後側の外フラップ３４の差込片３４ａが外面側から差し込まれる（図７（ｂ）参照）。
【００３７】
左側の内フラップ３１には、差込口３１ａの後縁を通る折線Ｌ４ｂが形成されている。左側の内フラップ３１において折線Ｌ４ｂよりも後側（後側の端壁１４側）の部位は折返し片３１ｂとなっている。また、折返し片３１ｂと左側の側壁１１の下縁部との間には切込み３１ｃが形成されている。
【００３８】
図７（ａ）に示すように、左側の内フラップ３１の後端部を折線Ｌ４ｂで内面側に折り返して、折返し片３１ｂを左側の内フラップ３１の内面に折り重ねると、折返し片３１ｂによって差込口３１ａが内面側から塞がれる。
図４に示すように、折返し片３１ｂの前後方向の長さｅは、差込口３１ａの前後方向の長さｆよりも大きいため、図７（ａ）に示すように、折返し片３１ｂによって差込口３１ａを確実に塞ぐことができる。
【００３９】
右側の内フラップ３２は、図４に示すように、右側の側壁１２の下縁部に折線Ｌ５ａを介して連設されている。
右側の内フラップ３２と左側の内フラップ３１とは点対称に形成されている。したがって、右側の内フラップ３２では、前部に差込口３２ａが開口し、前端部に折返し片３２ｂが形成されている。このように、右側の内フラップ３２の差込口３２ａおよび折返し片３２ｂは、左側の内フラップ３１の差込口３１ａおよび折返し片３１ｂに対して対角となる位置に形成されている。
また、折返し片３２ｂと右側の側壁１２の下縁部との間に切込み３２ｃが形成されている。
右側の内フラップ３２の前端部を折線Ｌ５ａにおいて内面側に折り返して、折返し片３２ｂを右側の内フラップ３２の内面に折り重ねると、折返し片３２ｂによって差込口３２ａが内面側から塞がれる。
【００４０】
後側の外フラップ３４は、後側の端壁１４の下縁部に折線Ｌ６ａを介して連設されている。また、後側の外フラップ３４には折線Ｌ６ａに平行した折線Ｌ６ｂが形成されている。
後側の外フラップ３４を折線Ｌ６ａにおいて後側の端壁１４に対して下面開口部１０ｂ側に折り曲げることで、図６に示すように、後側の外フラップ３４は左右の内フラップ３１，３２の後部の外面（下面）に重ね合わされる。
【００４１】
後側の外フラップ３４の先端部の左角部には、図４に示すように、左側の内フラップ３１の差込口３１ａに差し込まれる差込片３４ａが形成され、後側の外フラップ３４において、差込片３４ａよりも右側には支持片３４ｄが形成されている。
【００４２】
差込片３４ａの右縁部と支持片３４ｄとは切込み３４ｂによって切り離されている。差込片３４ａの左右方向の長さｃは、差込口３１ａの左右方向の長さｄと同じである。
【００４３】
差込片３４ａの前後方向の長さｈは、折返し片３１ｂの前後方向の長さｅよりも小さくなっている。したがって、図８に示すように、左側の内フラップ３１の折返し片３１ｂを折り返した状態で、差込片３４ａを差込口３１ａに差し込んだときに、差込片３４ａの先端部が折返し片３１ｂの先端部よりも突出しない。
【００４４】
図４に示すように、支持片３４ｄの左右方向の長さｂは、右側の内フラップ３２の左右方向の長さａよりも大きくなっている。
これにより、図７（ｂ）に示すように、後側の外フラップ３４を左右の内フラップ３１，３２の外面に重ね合わせたときには、支持片３４ｄが左右の内フラップ３１，３２に跨って重ね合わされる。
したがって、左右の内フラップ３１，３２に胴部１０の内側から荷重が作用したときには、後側の外フラップ３４が左右の内フラップ３１，３２を外面側から支持するため、下蓋３０の強度が大きくなっている。
【００４５】
図４に示すように、後側の外フラップ３４の基端縁（折線Ｌ６ａ）から差込片３４ａまでの長さｇは、折返し片３１ｂの前後方向の長さｅよりも大きくなっている。すなわち、折返し片３１ｂを折り返すことで、後側の端壁１４と折線Ｌ４ｂとの間に形成される開口部の長さｅよりも、後側の外フラップ３４の基端縁から差込片３４ａまでの長さｇが大きくなっている。
したがって、図７（ｂ）に示すように、後側の外フラップ３４を左右の内フラップ３１，３２の外面に重ね合わせたときには、後側の端壁１４と折線Ｌ４ｂとの間に形成された開口部が後側の外フラップ３４によって外面側から塞がれる。
【００４６】
差込片３４ａの右縁部（右側の内フラップ３２側の縁部）には、図４に示すように、切込み３４ｂの基端部から左側に向けて半円状に湾曲して切り込まれた係止溝３４ｃが形成されている。係止溝３４ｃは後側の端壁１４側に突出するように湾曲した曲線である。
【００４７】
図７（ｂ）に示すように、差込片３４ａが差込口３１ａに差し込まれた状態において、左側の内フラップ３１が外側に開く方向に移動したとき、すなわち、左側の内フラップ３１が右側の内フラップ３２から離れる方向に移動したときには、差込口３１ａの開口縁部が係止溝３４ｃに入り込む。これにより、差込片３４ａの右縁部が左側の内フラップ３１と折返し片３１ｂとの間に入り込んだ状態となる。この状態で差込片３４ａが後方に移動すると、差込片３４ａの右縁部が左側の内フラップ３１と折返し片３１ｂとの折返し部に当接するため、差込片３４ａが左側の内フラップ３１が係止される。
【００４８】
図４に示すように、前側の外フラップ３３と後側の外フラップ３４とは点対称に形成されている。
前側の外フラップ３３は、前側の端壁１３の下縁部に折線Ｌ７ａを介して連設されており、折線Ｌ７ａに平行して折線Ｌ７ｂが形成されている。前側の外フラップ３３は、図６に示すように、左右の内フラップ３１，３２の前部の外面（下面）に重ね合わされる。
【００４９】
前側の外フラップ３３の先端部の右角部には、図４に示すように、右側の内フラップ３２の差込口３２ａに差し込まれる差込片３３ａが形成されている。
また、差込片３３ａの左縁部には、切込み３３ｂの基端部から右側に向けて半円状に湾曲して切り込まれた係止溝３３ｃが形成されている。
図６に示すように、差込片３３ａが差込口３２ａに差し込まれた状態において、右側の内フラップ３２が外側に開く方向に移動したときには、差込口３２ａの開口縁部が係止溝３３ｃに入り込み、差込片３３ａが右側の内フラップ３２が係止される。
【００５０】
次に、包装箱１に複数の長葱Ｎを収容する手順について説明する。
まず、図１に示すブランクシート１ａを各折線Ｌ１ａ，Ｌ１ｂ，Ｌ１ｃ，Ｌ１ｄにおいて折り曲げるとともに、図２に示すように、糊代１５を前側の端壁１３の内面に接着して胴部１０を形成する。
【００５１】
続いて、図３に示すように、上面開口部１０ａが上側となるように胴部１０を配置し、左右の内ショートフラップ２１，２１を左右の側壁１１，１２に対して折り曲げて突き合わせる。さらに、前後の外ショートフラップ２２，２２を前後の端壁１３，１４に対して折り曲げ、前後の外ショートフラップ２２，２２を前後の端壁１３，１４に固定する。これにより、胴部１０の上面開口部１０ａに上蓋２０が形成される。
【００５２】
その後、図４に示すように、下面開口部１０ｂが上側となるように、胴部１０を上下逆向きに配置する。この状態で、図５に示すように、胴部１０内に複数の長葱Ｎを収容する。
このとき、長葱Ｎは長手方向を前後方向に配置し、複数の長葱Ｎを上下左右に並べる。なお、各長葱Ｎの長手方向の長さは、胴部１０内の前後方向の長さよりも僅かに短くなっている。したがって、上面開口部１０ａ（図４参照）側に配置された長葱Ｎの根部および葉部の先端部が上蓋２０の内面に当接するため、長葱Ｎが上面開口部１０ａから外部に落下することはない。
【００５３】
次に、左右の内フラップ３１，３２の端部を折り返して、折返し片３１ｂ，３２ｂを内フラップ３１，３２の内面に折り重ねる。これにより、内フラップ３１，３２の差込口３１ａ，３２ｂは折返し片３１ｂ，３２ｂによって内面側から塞がれる。その後、図６に示すように、左右の内フラップ３１，３２を左右の側壁１１，１２に対して折り曲げて突き合わせる。
【００５４】
図７（ａ）に示すように、後側の外フラップ３４の先端部を折線Ｌ６ｂにおいて内面側に向けて折り曲げるとともに、後側の外フラップ３４を折線Ｌ６ａで後側の端壁１４に対して内面側に向けて折り曲げる。これにより、後側の外フラップ３４は、左右の内フラップ３１，３２に対して外側に突出するように折れ曲がった状態となる。
このように、後側の外フラップ３４を二段階に折り曲げることで、差込片３４ａを差込口３１ａの後方に配置することができる。そして、後側の外フラップ３４を平坦に伸ばしつつ、差込片３４ａを後方から差込口３１ａに差し込む。
【００５５】
なお、差込片３４ａは、図８に示すように、左側の内フラップ３１の内面と折返し片３１ｂとの間に挿入する。このようにすると、差込片３４ａが胴部１０内に露出しないため、胴部１０内の長葱Ｎに差込片３４ａが接触するのを防ぐことができる。
【００５６】
このようにして、図７（ｂ）に示すように、差込片３４ａを差込口３１ａに差し込むとともに、後側の外フラップ３４の支持片３４ｄを左右の内フラップ３１，３２の後部の外面に重ね合わせる。なお、後側の端壁１４と折線Ｌ４ｂとの間に形成された開口部は、後側の外フラップ３４によって外面側から塞がれる。
【００５７】
後側の外フラップ３４と同様にして、図６に示すように、前側の外フラップ３３の差込片３３ａを右側の内フラップ３２の差込口３２ａに差し込むとともに、前側の外フラップ３３の支持片３３ｄを左右の内フラップ３１，３２の外面に重ね合わせる。これにより、下蓋３０によって胴部１０の下面開口部１０ｂが閉塞される。
【００５８】
長葱Ｎ（図５参照）が収容された包装箱１を搬送または保管するときには、上面開口部１０ａが上側となるように配置する。このとき、図８に示すように、各長葱Ｎの重量が折返し片３１ｂに作用し、折返し片３１ｂと左側の内フラップ３１との間に差込片３４ａが挟み込まれることで、左側の内フラップ３１に折返し片３１ｂが保持される。
【００５９】
また、図３に示すように、上蓋２０には開口部２０ａが形成されているため、包装箱１内の長葱Ｎ（図５参照）の収容状態を外部から目視することができる。
【００６０】
なお、各長葱Ｎの重量によって左右の内フラップ３１，３２が外側（下側）に開く方向に移動したときには、図６に示すように、左右の内フラップ３１，３２の差込口３１ａ，３２ａの開口縁部が、左右の外フラップ３３，３４の係止溝３３ｃ，３４ｃに入り込み、左右の外フラップ３３，３４が内フラップ３１，３２に係止されるため、左右の内フラップ３１，３２および左右の外フラップ３３，３４が開くのを防ぐことができる。
【００６１】
以上のような包装箱１では、図８に示すように、差込片３４ａは内フラップ３１の内面と折返し片３１ｂとの間に挿入され、差込片３４ａが胴部１０内に露出しないため、胴部１０内に長葱Ｎを収容した状態で、胴部１０の下面開口部１０ｂを下蓋３０によって閉塞するときに、差込片３４ａが長葱Ｎに接触するのを防ぐことができる。したがって、表面が傷みやすい長葱Ｎを損傷させることなく、包装箱１に収容することができる。
【００６２】
以上、本発明の実施形態について説明したが、本発明は前記実施形態に限定されることなく、その趣旨を逸脱しない範囲で適宜に変更が可能である。
本実施形態では、図３に示すように、上蓋２０と下蓋３０との構成が異なっているが、上蓋を下蓋３０と同じ構成にしてもよい。
【００６３】
本実施形態では、図４に示すように、内フラップ３１，３２の前後方向の端部に折返し片３１ｂ，３２ｂを形成しているが、内フラップ３１，３２の左右方向の端部を折り返した折返し片によって、差込口３１ａ，３２ａを内面側から塞ぐように構成してもよい。
【００６４】
本実施形態では、図６に示すように、外フラップ３３，３４には一つの差込片３４ａが形成されているが、外フラップ３３，３４に二つの差込片を形成し、両差込片が左右の内フラップ３１，３２の差込口に差し込まれるように構成してもよい。
【００６５】
本実施形態では、包装箱１は段ボール製であるが、各種公知の板紙によって包装箱を形成してもよい。
また、包装箱に収容される収容物は限定されるものではなく、例えば、野菜類や果実類など各種の収容物を収容することができる。
【符号の説明】
【００６６】
１      包装箱
１ａ    ブランクシート
１０    胴部
１０ａ  上面開口部
１０ｂ  下面開口部
１１    左側の側壁
１２    右側の側壁
１３    前側の端壁
１４    後側の端壁
１５    糊代
２０    上蓋
２０ａ  開口部
２１    内ショートフラップ
２１ａ  突出部
２２    外ショートフラップ
３０    下蓋
３１    左側の内フラップ
３１ａ  差込口
３１ｂ  折返し片
３１ｃ  切込み
３２    右側の内フラップ
３２ａ  差込口
３２ｂ  折返し片
３２ｃ  切込み
３３    前側の外フラップ
３３ａ  差込片
３３ｂ  切込み
３３ｃ  係止溝
３４    後側の外フラップ
３４ａ  差込片
３４ｂ  切込み
３４ｃ  係止溝
Ｎ      長葱
【図１】
2014223938.tif 000003
【図２】
2014223938.tif 000004
【図３】
2014223938.tif 000005
【図４】
2014223938.tif 000006
【図５】
2014223938.tif 000007
【図６】
2014223938.tif 000008
【図７】
2014223938.tif 000009
【図８】
2014223938.tif 000010